(57)【要約】【課題】  本発明の目的は、記録媒体の搬送性を悪化させることなく、高画質で高い信頼性で画像記録を行える画像記録装置を提供することである。【解決手段】  画像記録装置１は、記録媒体に対してインク滴を吐出して画像を記録する画像記録部５０と、記録媒体に駆動力を提供する搬送用駆動手段を備え、搬送用駆動手段により画像記録時に記録媒体を搬送する搬送部４０と、記録媒体を前記搬送部に記録媒体を供給する給紙部３０と、画像記録部５０により画像記録を行う画像記録領域ＧＲと、給紙部により記録媒体を供給する給紙領域ＦＲとに、画像記録装置内の空間を仕切る仕切り部材を備える粉塵防止部６０と、を具備する。【選択図】      図１
2005161751.tif 000002
【特許請求の範囲】
【請求項１】
画像を記録する画像記録装置であって、
記録媒体に対してインク滴を吐出して画像を記録する画像記録部と、
記録媒体に駆動力を提供する搬送用駆動手段を備え、搬送用駆動手段により画像記録時に記録媒体を搬送する搬送部と、
記録媒体を前記搬送部に記録媒体を供給する給紙部と
画像記録部により画像記録を行う画像記録領域と、給紙部により記録媒体を供給する給紙領域とに、画像記録装置内の空間を仕切る仕切り部材を備える粉塵防止部と、
を具備する画像記録装置。
【請求項２】
前記仕切り部材は、画像記録装置内の空間を仕切る仕切り板を有している請求項１に記載の画像記録装置。
【請求項３】
前記搬送用駆動手段は、前記記録媒体の搬送時に記録媒体と当接する回転部材であり、前記仕切り部材として用いられる請求項1又は２に記載の画像記録装置。
【請求項４】
前記仕切り部材は、搬送部による記録媒体の搬送方向において、画像記録領域と最も近接する搬送用駆動手段の近傍に配置されている請求項1乃至３のいずれか１項に記載の画像記録装置。
【請求項５】
前記仕切り板は、前記搬送用駆動手段の中心に対して搬送部による記録媒体の搬送方向の上流もしくは下流側において、前記搬送用駆動手段と重複する位置に配置されている請求項２に記載の画像記録装置。
【請求項６】
前記仕切り板は、搬送用駆動手段と当接している請求項５に記載の画像記録装置。
【請求項７】
前記仕切り板は、搬送用駆動手段に対して、所定の間隔が離間している請求項５に記載の画像記録装置。
【請求項８】
前記仕切り板は、前記搬送用駆動手段の鉛直方向上方に配置されており、
前記仕切り部材は、粉塵を回収する清掃手段を有しており、
前記清掃手段は、前記搬送方向において、前記搬送用駆動手段に対して仕切り板と同一側で、かつ仕切り板の鉛直方向下方に配置されている請求項５に記載の画像記録装置。
【請求項９】
前記粉塵防止部は、浮遊する粉塵を吸引除去する吸引手段を有しており、前記吸引手段は、前記仕切り部材の近傍に配置されている請求項１に記載の画像記録装置。
【請求項１０】
前記画像記録装置は、各構成要素を保持するフレームを有しており、
前記仕切り部材は、少なくとも一部分が画像記録装置のフレームにより構成されている請求項１に記載の画像記録装置。
【請求項１１】
前記画像記録装置は、装置全体を覆うカバーを有しており、前記カバーは、仕切り部材との間の隙間を塞ぐシール部材を有している請求項１に記載の画像記録装置。
【請求項１２】
前記カバーは、少なくとも一部分に開閉可能な窓部を有しており、前記窓部が閉鎖した際に、前記シール部材は、前記仕切り部材と当接する請求項１１に記載の画像記録装置。
【請求項１３】
前記画像記録装置は、装置全体を覆うカバーを有しており、前記カバーと前記フレームとには、互いに協調してカバーとフレームとの間の隙間を塞ぐシール部材を有している請求項１０に記載の画像記録装置。
【請求項１４】
画像を記録する画像記録装置であって、
記録媒体に対してインク滴を吐出して画像を記録する画像記録部と、
記録媒体に駆動力を提供する搬送用駆動手段を備え、搬送用駆動手段により画像記録時に記録媒体を搬送する搬送部と、
記録媒体を前記搬送部に記録媒体を供給する給紙部と
画像記録装置の上部に配置され、集塵フィルタを介して空気を画像装置内に吸引する吸引手段と、搬送手段より下部に配置され、画像記録装置内の空気を排出する排気手段とを有する粉塵防止部と、
を具備する画像記録装置。
【請求項１５】
前記吸引手段の空気の吸引量は、排気手段の排気量より多く設定されている請求項１４に記載の画像記録装置。
【請求項１６】
前記粉塵防止部は、給紙領域内の空気を画像記録装置の外部に排出する排気手段を有している請求項１又は１４に記載の画像記録装置。
【発明の詳細な説明】
【技術分野】
【０００１】
本発明は、記録媒体に対して画像を記録する画像記録装置に関している。
【背景技術】
【０００２】
例えばインクジェットプリンタなどの画像記録装置は、近年普及している。この画像記録装置は、一般的に、記録媒体を給紙する給紙部と、給紙部からの記録媒体を搬送する搬送部と、搬送部により搬送される画像を記録する画像記録部と、を具備している。この給紙部は、画像記録に用いられる紙、ＯＨＰ用紙等の記録媒体を収容している。また、この給紙部は、収容された記録媒体をピックアップするとともに前記搬送部に記録媒体を送るために、ピックアップローラなどの搬送用駆動手段を有している。この搬送用駆動手段は、記録媒体と接触し、自身の駆動力を記録媒体に作用させ、所定の方向に記録媒体を搬送する。画像記録部は、搬送部により搬送中の記録媒体に対して、インクを吐出させ画像を記録する。
【０００３】
このように、給紙部並びに搬送部の搬送用駆動手段は、記録媒体を搬送する際に、記録媒体と接触する。このため、記録媒体は、前記搬送用駆動手段との摩擦や、接触時の衝撃などにより、紙粉などの粉塵を発生してしまう。発生した粉塵は、大気中を浮遊し、画像記録装置内に漂ってしまう。なお、記録媒体は、一般的に所定のサイズに裁断されている。この裁断部は、紙粉などの粉塵を発生しやすい。従って、裁断された領域から前記摩擦や衝撃により粉塵が発生することを防止することは、困難である。
【０００４】
また、記録媒体は、給紙部に収納されて、保管されている。この保管時の記録媒体には、大気中のほこり等の粉塵が付着する。この付着した粉塵も、上記摩擦や衝撃により、画像記録装置中に漂ってしまう。
【０００５】
このようにして浮遊した粉塵は、画像記録部の周りに移動した場合、画像記録部に付着し、画像記録部のインクの噴射特性に悪影響を及ぼす虞がある。例えば、インクジェット方式の画像記録装置の場合、画像記録部は、インクを噴射するノズルを有している。このインクジェット方式の画像記録装置において、前記粉塵が画像記録部の周りに移動した場合、移動した粉塵は、ノズルに付着したり、ノズル中に侵入したりする虞がある。粉塵がノズルに対して付着や侵入した場合、ノズルからインクを吐出出来なくなったり、吐出したインクの軌道に変化（吐出曲がり）を生じさせてしまう虞がある。
【０００６】
そこで画像記録装置内に侵入する粉塵を減少させる構成を有した画像記録装置が考えられている。このような構成を有した従来の画像記録装置は、例えば特許文献１中に示されている。図１７は、特許文献１の画像記録装置を示す図である。
【０００７】
特許文献１の画像記録装置は、複数の記録ヘッド１０４が配置された記録ヘッド用筐体１０２と、給紙部が配置されている記録媒体搬送機構部１０５が配置されている搬送機構用筐体１０１とを有している。記録媒体１０３は、連続したロール紙である。記録媒体搬送機構部１０５は、搬送ローラ１０６ａ、１０７ａ、押しつけローラ１０６ｂ、１０７ｂ、ローラ１０８，１０９により構成される。記録ヘッド用筐体１０２と搬送機構用筐体１０１とは、開口１１２ａ、１１２ｂにより接続されており、これらの開口１１２ａ、１１２ｂを介して互いに空気が流通可能に構成されている。記録ヘッド１０４は、記録媒体１０３に対して、インクを吐出することにより画像を記録する画像記録部である。記録ヘッド用筐体１０２には、ファン１１４、１１５を有しており、このファン１１４、１１５により、外部から記録ヘッド用筐体１０２中に空気を流入させる。この空気は、風向ガイド１４１により案内されて、開口１１２ａ、１１２ｂを介して、搬送機構用筐体１０１中に流れる。上記構成により、特許文献１の画像記録装置は、紙粉やダストをインクジェットヘッドに付着するのを防止するべく、記録ヘッド１０４側から給紙部側（図１７中において上下方向）へ流れるエアーフローを作り出す。
【特許文献１】特開２００３−２２０６９５号公報（第３頁乃至第７頁、図１）
【発明の開示】
【発明が解決しようとする課題】
【０００８】
特許文献１の画像記録装置は、画像記録を行う画像記録領域を含む記録ヘッド用筐体１０２から、粉塵を排出し得るように、記録ヘッド用筐体１０２と、給紙を行う給紙領域を含む搬送機構用筐体１０１とが接続されている。これとともに、風向ガイド１４１は、ファン１１４，１１５から吹き込んだ空気が直接記録ヘッド１０４に当たることを防止するために構成されており、記録媒体１０３との間隔について考慮されていない。従って、画像記録領域と、給紙領域とは、空間的に分離することが意図されていない。さらに、記録ヘッド用筐体１０２もまた、画像記録領域と、他の領域とを空間的に分離するような構成が意図されていない。このため、記録ヘッド１０４が設けられている画像記録領域には、前記エアーフローと交差する方向（図１中左右方向）から紙粉が侵入することに対する防止策が考慮されておらず、空気の対流によってはこの方向からの粉塵が侵入する虞を有している。
【０００９】
上記課題を鑑みて、本発明の目的は、記録媒体の搬送性を悪化させることなく、高画質で高い信頼性で画像記録を行える画像記録装置を提供することである。
【課題を解決するための手段】
【００１０】
上記課題を鑑みて、本発明の画像記録装置は、以下の構成を有している。
【００１１】
本発明の一態様の画像記録装置は、画像を記録する画像記録装置であって、記録媒体に対してインク滴を吐出して画像を記録する画像記録部と、記録媒体に駆動力を提供する搬送用駆動手段を備え、搬送用駆動手段により画像記録時に記録媒体を搬送する搬送部と、記録媒体を前記搬送部に記録媒体を供給する給紙部と、画像記録部により画像記録を行う画像記録領域と、給紙部により記録媒体を供給する給紙領域とに、画像記録装置内の空間を仕切る仕切り部材を備える粉塵防止部と、を具備する。
【発明の効果】
【００１２】
本発明は、記録媒体の搬送性を悪化させることなく、高画質で高い信頼性で画像記録を行える画像記録装置を提供し得る。
【発明を実施するための最良の形態】
【００１３】
（第１の実施の形態）
以下に、本発明の第１の実施の形態に従った画像記録装置１について、説明する。
【００１４】
（構成）
本実施の形態の画像記録装置１は、各構成要素が配置されている本体１０と、本体１０を覆うカバー部２０と、給紙部３０と、搬送部４０と、画像記録部５０と、粉塵防止部６０と、排出部７０とを具備している。まず、この画像記録装置１について、図１乃至図７を参照して説明する。図１は、本実施の形態の画像記録装置１を示す概略的な側面図である。図２は、図１中の画像記録装置１を示す概略的な上面図である。
【００１５】
本体１０には、給紙部３０と、搬送部４０と、画像記録部５０とを図示しないフレームにより保持する。この本体１０は、カバー部２０により覆われている。なお、本実施の形態において、給紙部３０の一部が、カバー部２０外に配置されているが、給紙部３０全体をカバー部２０内に配置することも可能である。
【００１６】
給紙部３０は、収容部３１と、ピックアップローラ３２と、レジストレーションローラ対３３とを有している。収容部３１は、所定の長さにカットされた記録媒体（図１中で参照符号ＲＭで指摘）を収容する。ピックアップローラ３２は、ローラーのような回転部材であり、収容部３１中の記録媒体をピックアップし、所定の搬送方向に搬送する搬送用駆動手段である。レジストレーションローラ対３３は、回転部材であり、ピックアップローラ３２から搬送された記録媒体を搬送部４０に搬送する搬送用駆動手段である。レジストレーションローラ対３３は、長手方向中央軸心が記録媒体の搬送方向に対して直交する方向（幅方向）に延在するように配置されている。なお、給紙部３０は、収容部３１から搬送部４０のまでの間には、図示しない搬送路を有している。ピックアップローラ３２並びにレジストレーションローラ対３３は、記録媒体を前記搬送路に沿って搬送する。
【００１７】
この給紙部３０において、ピックアップローラ３２並びにレジストレーションローラ対３３は、図示しない動力源にクラッチを介して接離可能に接続されている。
【００１８】
また、この給紙部３０において、レジストレーションローラ対３３は、ピックアップローラ３２と協働して、搬送方向に対して記録媒体の向きを調整する。
【００１９】
搬送部４０は、画像記録中に記録媒体を搬送する搬送手段である。この搬送部４０は、画像記録部５０と対向する位置に配置されている。本実施の形態において、搬送部４０は、ベルトプラテン部４１と、プラテン吸引部４２とにより構成されている。ベルトプラテン部４１は、プラテンローラ４１ａと、無端ベルトであるプラテンベルト４１ｂとにより、ベルトコンベヤ状に構成されており、給紙部３０からの記録媒体を所定の搬送方向に沿って搬送する。なお、ベルトプラテン部４１の搬送速度は、レジストレーションローラ対３３の搬送速度より遅く設定されている。
【００２０】
プラテンベルト４１ｂには、図示しない複数の孔が設けられており、プラテン吸引部４２の吸引力により、記録媒体を吸着し得るように構成されている。また、記録媒体の搬送方向において、ベルトプラテン部４１の上流には、プラテンローラ４１ａと対応する位置に、プラテンローラ４１ａの従動ローラであるバックアップローラ４３ａが配置されている。これにより、上流のプラテンローラ４１ａとバックアップローラ４３ａとは、回転部材であり、バックアップローラ対４３を構成している。
【００２１】
プラテン吸引部４２は、複数の孔４２ａを有するプラテン４２ｂと、プラテン４２ｂに負圧を提供するためのプラテン吸引ファン４２ｃとを有している。
【００２２】
なお、バックアップローラ対４３は、レジストレーションローラ対３３と協働して、前述のレジストレーションローラ対３３とピックアップローラ３２と同様に、記録媒体の向きを調整し得る。
【００２３】
画像記録部５０は、本実施の形態において、４色（ブラック（Ｋ）、シアン（Ｃ）、マゼンタ（Ｍ）、イエロー（Ｙ））のインクにより画像を記録し得るように、各色に対応した記録ヘッド５１を有している。従って、画像記録部５０は、４つの記録ヘッド５１を有している。各記録ヘッド５１は、インクを吐出する複数のノズルを有している。これらのノズルは、列状に配列され、ノズル列を構成している。各ノズル列は、前記記録媒体の搬送方向と直交する方向に延びており、記録媒体の幅全体に渡って画像を記録し得るように、長さが設定されている。即ち、本実施の形態の記録ヘッド５１は、シリアルヘッド（固定ヘッド）タイプの記録ヘッドである。上述のように、画像記録部５０により画像を記録するため、本実施の形態において、画像記録部５０の周辺の空間を画像記録領域と呼ぶ。図１中において、画像記録空間は、破線で囲まれた領域であり、参照符号ＧＲで指摘されている。
【００２４】
粉塵防止部６０は、画像記録領域に、紙粉、埃などの粉塵が侵入することを防止する手段である。本実施の形態において、粉塵防止部６０は、仕切り板６１ａ、６１ｂと、フィルタ付吸引ファン６２と、排気ファン６３，６４とを有している。
【００２５】
仕切り板６１ａは、図１中に示されるように、カバー部２０に固定されており、バックアップローラ４３ａから上方の領域全体に渡って配置されている。言い換えると、仕切り板６１ａは、画像記録装置１の幅方向全体に渡って延びているとともに、画像記録装置１の上下方向（搬送方向並びに幅方向と直交する方向）においてバックアップローラ４３ａ及び記録媒体より上方の領域全体に渡って延びている。なお、仕切り板６１ａの下端は、搬送方向において、バックアップローラ４３ａの下流側の部分と当接している。このように、この仕切り板６１ａは、バックアップローラ対４３より上方の領域を、記録媒体の搬送方向（図１中左右方向）において空間的に分離させるように設けられている。なお、バックアップローラ４３ａに対する仕切り板６１ａの当接圧は、バックアップローラ対４３の搬送性能を低減させないように、好ましくは全荷重約１０ｇ重程度に設定されるが、この値に限定されず、搬送性能を低減させない値において任意に選定され得る。
【００２６】
仕切り板６１ｂは、仕切り板６１ａと同様に、画像記録装置１の幅方向全体に渡って延びている。この仕切り板６１ｂは、前記上下方向において、バックアップローラ対４３及び記録媒体より下方の領域全体に渡って延びている。なお、仕切り板６１ｂは、プラテンベルト４１ｂと当接している。より具体的には、仕切り板６１ｂは、搬送方向において、上流側の側壁が、バックアップローラ対４３のプラテンローラ４１ａの上流側の部分と、プラテンベルト４１ｂを介して接触している。このように、仕切り板６１ｂは、バックアップローラ対４３より下方の領域を、記録媒体の搬送方向（図１中左右方向）において空間的に分離させるように設けられている。
【００２７】
このように、仕切り板６１ａ、６１ｂは、バックアップローラ対４３とともに、画像記録領域ＧＲを、バックアップローラ対４３より上流の領域と、完全に空間的に分離させる。言い換えると、仕切り板６１ａ、６１ｂとバックアップローラ対４３とは、画像記録装置１内において、給紙部３０が設けられている空間と、画像記録領域ＧＲとを空間的に仕切る仕切り部材である。なお、本実施の形態において、仕切り板６１ａ、６１ｂにより区切られた画像記録領域ＧＲより給紙部３０側の空間を給紙領域ＦＲと呼ぶ。
【００２８】
フィルタ付吸引ファン６２は、画像記録装置１外の空気を画像記録装置１内に取り込むための吸引装置である。フィルタ付吸引ファン６２は、集塵フィルタ６２ｃを有しており、画像記録装置１内には、クリーンな空気を吸引するように構成されている。なお、画像記録装置１内は仕切り板６１ａ、６１ｂにより仕切られているため、フィルタ付吸引ファン６２は、画像記録領域ＧＲ中に、空気を吹き込む。
【００２９】
排気ファン６３は、搬送方向において、仕切り板６１ａ、６１ｂに対して画像記録領域ＧＲ側に配置されており、鉛直方向（上下方向）において搬送部４０の下部に配置されている。この排気ファン６３は、画像記録領域ＧＲ内を換気するために、画像記録領域ＧＲ中の空気を画像記録装置１外に排出する排気手段である。なお、フィルタ付吸引ファン６２、排気ファン６３、並びに前述のプラテン吸引ファン４２ｃとの風量は、以下の式の関係を有するように設定されている。
【００３０】
フィルタ付吸引ファン６２＞排気ファン６３＞プラテン吸引ファン４２ｃ…（式）
排気ファン６４は、給紙領域ＦＲ内を換気するための排気手段である。この排気ファン６４は、給紙領域ＦＲ内の空気を画像記録装置１外に排出する。
【００３１】
排出部７０は、搬送方向において、搬送部４０の下流に設けられており、画像記録完了後の記録媒体を収容する。なお、本実施の形態において排出部７０は、カバー部２０の外側に配置されているが、カバー部２０の内側に配置することも可能である。
【００３２】
以下に、上記構成の画像記録装置１の動作について説明する。
【００３３】
（動作）
画像記録装置１は、記録媒体に対して画像を記録する際に、以下に示す画像記録動作が行われる。この画像記録動作ではまず、画像記録装置１は、ピックアップローラ３２を駆動し、記録媒体を収容部３１からピックアップする。ピックアップローラ３２は、ピックアップした記録媒体を、図示しない搬送路に沿って搬送し、レジストレーションローラ対３３に向けて送る。この搬送により、搬送方向においての記録媒体の先端がレジストレーションローラ対３３に到達すると、記録媒体の向き調整が行われる。この向き調整は、ピックアップローラ３２と、レジストレーションローラ対３３とが協働して行う。以下に、図３を参照して、向き調整について詳しく説明する。図３は、向き調整時のピックアップローラ３２とレジストレーションローラ対３３とを示す概略的な側面図である。
【００３４】
ピックアップローラ３２は、記録媒体を搬送することにより、搬送方向においての記録媒体の先端をレジストレーションローラ対３３に押し当てる。なお、記録媒体は、矩形形状のカットシート状であり、長手方向中央軸心を有しているものとする。また、前記記録媒体の先端は、長手方向と直交する幅方向に沿って延びているものとする。なお、この押し当てられた際には、記録媒体の向きは、正確に調整されていない場合がある。言い換えると、記録媒体の先端は、レジストレーションローラ対３３に対して、傾斜した状態で接触する場合がある。
【００３５】
前記記録媒体の押し当て後、所定時間ピックアップローラ３２は、駆動する。この駆動により、記録媒体は、レジストレーションローラ対３３に向かってさらに搬送される。この結果、記録媒体ＲＭは、搬送路から浮き上がり、図３中に示されるように、ループ状に湾曲する。このように湾曲した記録媒体ＲＭは、ピックアップローラ３２からの搬送力並びに自身の復元力とにより、端部がレジストレーションローラ対３３に適合するようにレジストレーションローラ対３３に押しつけられる。そして、記録媒体ＲＭの先端は、レジストレーションローラ対３３の長手方向全体に渡って接触する。この結果、記録媒体の幅方向は、レジストレーションローラ対３３の長手方向と一致され、記録媒体の長手方向中央軸心が、記録媒体の搬送方向と一致され、調整が終了する。
【００３６】
この向き調整の終了後、レジストレーションローラ対３３は、駆動を開始し、記録媒体を搬送部４０に向かって搬送する。また、この搬送により、搬送方向において、記録媒体の先端がバックアップローラ対４３に到達すると、前述のような記録媒体の向き調整が行われる。なお、プラテン吸引部４２は、記録媒体がバックアップローラ対４３に到達する前のタイミングに、駆動を開始する。具体的には、上記タイミングにプラテン吸引ファン４２ｃが駆動を開始する。この駆動により、プラテン４２ｂを介して、プラテンベルト４１ｂ上に負圧（吸引力）が提供される。また、前記タイミングにおいて、プラテンローラ４１ａが駆動を開始する。このレジストレーションローラ対３３とバックアップローラ対４３とによる向き調整では、レジストレーションローラ対３３が、バックアップローラ対４３に記録媒体の先端の到達後、所定時間駆動される。なお、ベルトプラテン部４１は、前記構成で示したように、レジストレーションローラ対３３より記録媒体の搬送速度が遅い。これらの搬送速度の差とレジストレーションローラ対３３との所定時間の搬送とにより、上述のように記録媒体をループ状に湾曲させ、記録媒体の向きを調整し、記録媒体をプラテンベルト４１ｂに精度良く吸着させる。
【００３７】
この調整完了後において、記録媒体がプラテンベルト４１ｂに所定面積吸着保持された後、レジストレーションローラ対３３は、クラッチが外され、自由に回転するようにされる。これにより、湾曲した記録媒体は、搬送方向において後端（レジストレーションローラ対３３側）から作用する力から開放され、レジストレーションローラ対３３を自身の復元力により回転させながら平坦になる。なお、記録媒体は、この平坦に姿勢が変化した場合においても、プラテンベルト４１ｂに吸着保持されているため、搬送方向に対する前記向き調整後の配置を維持する。このようにしてレジストレーションローラ対３３とバックアップローラ対４３との間における向き調整を完了する。
【００３８】
前記向き調整の完了した後、ベルトプラテン部４１が、記録媒体を画像記録領域に向けて搬送する。記録媒体が搬送方向において画像記録部５０の位置に到達すると、記録ヘッド５１は、インクを吐出し画像記録を開始する。各記録ヘッド５１は、ベルトプラテン部４１の搬送と同期して、所望の画像の記録を行う。画像記録が完了した記録媒体は、排出部７０に排出される。
【００３９】
このようにして、画像記録装置１は、１枚の記録媒体に対する画像の記録を完了する。
【００４０】
なお、画像記録動作において、記録媒体のピックアップ時並びに向き調整時に、記録媒体は、搬送用駆動手段であるピックアップローラ３２、レジストレーションローラ対３３、並びにバックアップローラ対４３からの摩擦並びに衝撃を受ける。このため、記録媒体は、前記摩擦並びに衝撃により、図４中に示されるように、紙粉や付着した埃などの粉塵（参照符号ｄｕで指摘）を発生する虞がある。さらに、前記向き調整時には、記録媒体がループ形状から平坦な形状へと姿勢変化をするため、より粉塵を発生する虞が高い。また、この向き調整時では、搬送速度に差があるレジストレーションローラ対３３とバックアップローラ対４３とにより記録媒体をニップするため、これらの速度差により、より粉塵が発生する虞が高くなる。即ち、記録媒体は、給紙領域ＦＲにおいて、粉塵を発生し易い。
【００４１】
ここで従来の画像記録装置のように、粉塵防止部６０が無い構成の画像記録装置において、プラテン吸引部４２が駆動した際に、画像記録装置内で生じる空気の流れについて、図５を参照して説明する。なお、図５中に示された白抜きの矢印ＡＤは、空気の流れを模式的に示したものである。
【００４２】
プラテン吸引部４２が駆動すると、ベルトプラテン部４１におけるプラテン４２ｂと対向する位置に負圧が提供される。この位置は、画像記録領域ＧＲである。従って、この負圧により、周囲の空気が画像記録領域に集まってくる。このような空気の流れにおいて、前述のように給紙領域ＦＲで粉塵が発生した場合、発生した粉塵は、画像記録領域ＧＲに集結する。集結した際の粉塵の動きを図６を参照して説明する。図６は、粉塵が集結した際の画像記録部５０を示す拡大された概略的な側面図である。図６中に示されるように、集結した粉塵ｄｕは、一部が孔４２ａを介してプラテン吸引ファン４２ｃにより吸引されるが、他の一部は、記録ヘッド５１のノズル５２に付着し、画像記録部５０のインク噴射特性に悪影響を与えてしまう。
【００４３】
本実施の形態の画像記録装置１は、上述のような粉塵の影響を低減させるために、上記構成で説明した粉塵防止部６０を有している。この粉塵防止部６０は、画像記録中について、図７を参照して説明する。粉塵防止部６０の仕切り板６１ａ、６１ｂは、画像記録装置１内を画像記録領域ＧＲと給紙領域ＦＲとに完全に区分けしている。これにより、プラテン吸引部４２の吸引力は、給紙領域ＦＲに実質的に影響を及ぼさない。このようにして仕切り板６１ａ、６１ｂは、プラテン吸引部４２により給紙領域ＦＲから粉塵の混じった空気が吸引され、画像記録領域ＧＲに粉塵が侵入することを防止する。なお、仕切り板６１ａ、６１ｂは、上述のように区分けしているため、プラテン吸引部４２が動作していない場合においても粉塵の侵入を防止し得る。
【００４４】
なお、本実施の形態の仕切り板６１ａ、６１ｂは、搬送用駆動手段であるバックアップローラ対４３と当接している。このため、仕切り板６１ａ、６１ｂは、より確実に画像記録領域ＧＲに粉塵が侵入することを防止する。
【００４５】
なお、本実施の形態において、仕切り板６１ａは、バックアップローラ対４３の下流に設けられている。このため、仕切り板６１ａは、記録媒体に姿勢変化を生じさせるバックアップローラ対４３の下流において、給紙領域ＦＲからの粉塵の侵入を防止する。従って、仕切り板６１ａは、粉塵の発生率が高い領域の記録媒体搬送方向下流において、粉塵の侵入を防止し得るため、より効果的に、粉塵の侵入を防止し得る。
【００４６】
なお、バックアップローラ対４３は、画像記録領域に最も近接する搬送用駆動手段である。従って、バックアップローラ対４３は、向き調整を行わない場合においても、衝撃並びに摩擦により粉塵を発生する虞が高い。従って、仕切り板６１ａは、バックアップローラ対４３が向き調整を行わない場合においても、バックアップローラ対４３の近傍に配置することにより、画像記録領域ＧＲへの粉塵の侵入を防止し得る。このように、本実施の形態の仕切り板６１ａは、画像記録領域と最も近接する搬送用駆動手段の近傍に配置することが好ましい。なお、仕切り板６１ａは、本実施の形態のように、粉塵の発生源となり得るバックアップローラ対４３の下流に配置することがさらに好ましい。
【００４７】
また、バックアップローラ対４３は、仕切り板６１ａ、６１ｂとともに、画像記録装置１内を画像記録領域ＧＲと給紙領域ＦＲとに完全に区分けしている。バックアップローラ対４３は、記録媒体搬送中では、記録媒体と当接しているため、給紙領域ＦＲからの粉塵の侵入を防止する。このように、本実施の形態の画像記録装置１は、搬送手段を空間の区分けに用いるため、記録媒体の搬送性を落とすことなく、画像記録領域への粉塵の侵入を防止し得る。
【００４８】
なお、本実施の形態の仕切り板６１ａは、搬送方向においてバックアップローラ対４３と重複する位置に配置されている。具体的には、仕切り板６１ａは、搬送方向において、少なくとも一部分がバックアップローラ４３ａと重複する位置に配置されている。なお、バックアップローラ対４３は、記録媒体に圧接している為、記録媒体との間には隙間がない、又バックアップローラ対４３は、記録媒体に比べて剛体で精度が高い。このため、仕切り板６１ａは、バックアップローラ対４３から大きくずれている場合に比べて、バックアップローラ対４３とにより、より確実に画像記録領域ＧＲと給紙領域ＦＲとの空間を区分けし得る。
【００４９】
また、仕切り板６１ａは、前述のバックアップローラ４３ａと重複する位置に配置された際、記録媒体との間にはバックアップローラ４３ａが介在するため、記録媒体から離間した位置にある。このため、搬送中の記録媒体が折り曲がったりして搬送路から浮き上がった場合においても、仕切り板６１ａは、記録媒体と接触することはない。従って、上記構成の仕切り板６１ａは、ジャミングが生じることが防止されている。
【００５０】
また、バックアップローラ対４３は、記録媒体搬送時の記録媒体上に、再付着した紙粉やダストが記録媒体ＲＭ上に残っていたとしても、押圧し、記録媒体上又は自身に固着させ得る。このように、バックアップローラ対４３もまた、給紙領域ＦＲからの粉塵の侵入を防止し得る。
【００５１】
また、給紙領域ＦＲには、排気ファン６４が設けられている。これにより、排気ファン６４は、粉塵を多分に含んだ給紙領域ＦＲ中の汚れた空気を排出し、給紙領域ＦＲ中の空気を清浄化し、給紙領域ＦＲ中の空気が画像記録領域ＧＲ中に入ってしまった場合においても画像記録領域ＧＲが汚染されることを防止し得る。さらに、排気ファン６４は、給紙領域ＦＲ中の空気を外部に排出するため、給紙領域ＦＲ中に、図７中の白抜き矢印で示された空気の流れＡＤｆを生じさせる。この空気の流れＡＤｆは、画像記録装置１の外部に向かう空気の流れである。排気ファン６４は、この空気の流れＡＤｆにより、粉塵を含んだ空気が画像記録領域ＧＲに侵入することをより確実に防止し得る。
【００５２】
また、粉塵防止部６０において、フィルタ付吸引ファン６２、排気ファン６３、並びに前述のプラテン吸引ファン４２ｃとの風量は、上記構成で示した式のような関係を有している。このように、フィルタ付吸引ファン６２は、他のファンに対して風量が多いため、画像記録領域ＧＲを正圧にする。これにより、カバー部２０の隙間からは画像記録領域ＧＲ中に、粉塵を含んだ大気中のエアーが入り込むことを防止し得る。
【００５３】
また、風量の大きいフィルタ付吸引ファン６２は、プラテン４２ｂを挟んで排気ファン６３、並びに前述のプラテン吸引ファン４２ｃの上方に配置されている。このため、これらのファンは、画像記録領域ＧＲ中に下方向への空気の流れを作る。フィルタ付吸引ファン６２は、フィルタ６２ａを介してクリーンな空気のみが画像記録領域ＧＲ中に流入させる。このため、搬送部４０と記録媒体とが摩擦並びに接触により粉塵を発生した場合においても、この空気の流れにより、画像記録部５０に向かって粉塵が移動することを防止し、画像記録部５０への粉塵の付着を防止し得る。
【００５４】
また、排気ファン６３は、プラテン吸引ファン４２ｃより大きい風量を有している。これとともに、排気ファン６３は、プラテン吸引ファン４２ｃの排気側（画像記録装置１の下部）に配置されている。この構成により、排気ファン６３は、プラテン吸引ファン４２ｃにより送られた空気をより確実に、画像記録装置１の外部に排出し得る。この構成においても、画像記録装置１は、画像記録部５０に向かって粉塵が移動することを防止し、画像記録部５０への粉塵の付着を防止し得る。
【００５５】
このように本実施の形態の画像記録装置１は、粉塵防止部６０により画像記録領域ＧＲに侵入する粉塵を低減させ、画像記録部５０の不吐出や吐出曲がりなどを未然に防止することができ、高画質であるとともに、信頼性の高い画像記録を達成し得る。
【００５６】
なお、本実施の形態の粉塵防止部６０は、仕切り板６１ａ、６１ｂを有しているが、仕切り板６１ａのみで構成させることも可能である。この場合においても、粉塵防止部６０は、仕切り板６１ａが無い場合にくらべて、画像記録領域ＧＲへの粉塵の侵入を低減させ得る。
【００５７】
また、本実施の形態の仕切り板６１ａは、バックアップローラ４３ａに当接しているが、図８中に示されるように、バックアップローラ４３ａから離間するように、配置することも可能である。なお、この離間距離は、約１０ｍｍ以下であれば粉塵の侵入防止の効果を有するが望ましくは２ｍｍ以下が好ましい。なお、前記離間距離を約０．３ｍｍ以上約１ｍｍ以下に設定した場合、各部品ならびにそれらの組み付けの公差による仕切り板６１ａとバックアップローラ４３ａの干渉を防止しつつ、離間距離が約１０ｍｍの場合に比べてさらに効果的に粉塵の侵入防止の効果を得られ得る。なお、仕切り板６１ｂにおいても、上述の仕切り板６１ａと同様に、プラテンベルト６１ｂから離間するように配置することが可能である。
【００５８】
更に仕切り板６１ａの画像記録装置１への組み付け時に、バックアップローラ４３ａとカバー部２０との間にシックネスゲージを挿入して仕切り板６１ａを固定する等すれば、この距離は例えば０．１ｍｍと小さく出来、さらに仕切り板６１ａの効果を高められる。なお、僅かでも仕切り板６１ａを離間することによって、バックアップローラ４３ａの表面に付着した粉塵が、仕切り板６１ａとの間に蓄積することがなくなる。従って、仕切り板６１ａをバックアップローラ４３ａから離間させることにより、蓄積物が記録媒体上に落下する危険性を回避することが可能であり、より効果的に粉塵の発生を防止し得る。
【００５９】
（第２の実施の形態）
以下に、本発明の第２の実施の形態に従った画像記録装置１について、図９を参照して説明する。なお、本実施の形態において、第１の実施の形態と同様な構成は、同一の参照符号を付して説明を省略する。
【００６０】
本実施の形態の画像記録装置１は、第１の実施の形態の画像記録装置１と、仕切り板６１ａの配置が異なる。本実施の形態の仕切り板６１ａは、図９中に示されるように、搬送方向において、バックアップローラ４３ａの上流の部分に当接するように配置されている。これにより、仕切り板６１ａは、第１の実施の形態と同様に、給紙領域ＦＲから画像領域ＧＲに侵入する粉塵を低減し得る。
【００６１】
なお、バックアップローラ４３ａと仕切り板６１ａとは、当接しているため、仕切り板６１ａは、バックアップローラ４３ａに付着した粉塵を掻き取る。掻き取られた粉塵は、バックアップローラ４３ａと仕切り板６１ａとの間に蓄積し、多少の量では記録媒体上に落下しない。しかしながら、蓄積された粉塵の量が増大し、多量の粉塵が蓄積した場合、記録媒体上に落下することがある。なお、本実施の形態の画像記録装置１は、仕切り板６１ａを搬送方向においてバックアップローラ４３ａの上流に配置している。このため、前記蓄積された粉塵が記録媒体に落下した場合においても、大部分の粉塵の落下位置を、バックアップローラ対４３の上流に設定出来る。この結果、バックアップローラ対４３は、落下した粉塵を押圧し、バックアップローラ４３ａに再付着させるか、記録媒体上に固着させ得る。このようにして、本実施の形態の画像記録装置１は、バックアップローラ４３ａと仕切り板６１ａとの間に蓄積された粉塵が再び大気中に浮遊することを低減し得る。
【００６２】
（第３の実施の形態）
以下に、本発明の第３の実施の形態に従った画像記録装置１について、図１０を参照して説明する。なお、本実施の形態において、第２の実施の形態と同様な構成は、同一の参照符号を付して説明を省略する。
【００６３】
本実施の形態の画像記録装置１は、第２の実施の形態の構成に加えて、さらにクリーナー機構６５を有している。このクリーナー機構６５は、粉塵を清掃するための清掃手段である。本実施の形態においてクリーナー機構６５は、パット状に構成されており、粉塵を受容し、受容した粉塵を回収する。このクリーナー機構６５は、図１０中に示されるように、仕切り板６１ａに対して、搬送方向において上流側で、上下方向において下側に配置されている。言い換えると、クリーナー機構６５は、バックアップローラ４３ａに対して仕切り板６１ａと同一側に配置され、仕切り板６１ａの下方に配置されている。
【００６４】
このため、クリーナー機構６５は、前記蓄積した粉塵が記録媒体側に落下した場合、この落下した粉塵を受容し得る。これにより、記録媒体上に再落下する可能性を低減させ、より画像記録装置１中の空気が粉塵により汚染されることを防止し得る。
【００６５】
なお、このクリーナー機構６５は、図１１中に示されるように、仕切り板６１ａがバックアップローラ４３ａの下流に配置された構成においても適用し得る。この場合、クリーナー機構６５は、仕切り板６１ａに対して、搬送方向において下流側で、上下方向において下側に配置される。この配置により、クリーナー機構６５は、仕切り板６１ａがバックアップローラ４３ａの下流側に配置された構成の画像記録装置においても、汚染防止の効果を達成し得る。
【００６６】
なお、クリーナー機構６５は、落下する粉塵を回収し、回収した粉塵を再び大気中に浮遊することを抑制しえるならば、パットタイプ以外の構成にすることも可能である。
【００６７】
（第４の実施の形態）
以下に、本発明の第４の実施の形態に従った画像記録装置１について、図１２を参照して説明する。なお、本実施の形態において、第３の実施の形態と同様な構成は、同一の参照符号を付して説明を省略する。
【００６８】
本実施の形態の画像記録装置１は、クリーナー機構６５Ａの構成が、第３の実施の形態のクリーナー機構６５と異なる。本実施の形態のクリーナー機構６５Ａは、図１２中に示されるように吸引装置である。このクリーナー機構６５Ａは、吸引ノズル６５Ａａと、吸引ノズル６５Ａａに吸引力を提供するクリーナー吸引ファン６５Ａｂとを有しており、吸引ノズル６５Ａａで吸引した空気を、画像記録装置１の機外に排出する。吸引ノズル６５Ａａは、仕切り板６１ａに対して、搬送方向において上流側で、上下方向において下側に配置されている。これにより、本実施の形態のクリーナー機構６５Ａは、落下する粉塵を吸引することにより、第３の実施の形態と同様に記録媒体上に再落下する可能性を低減させ、画像記録装置１中の空気が粉塵により汚染されることを防止し得る。
【００６９】
なお、クリーナー機構６５Ａは、吸引ノズル６５Ａａの周囲の空気を吸引し得るため、バックアップローラ対４３の上流において、記録媒体上の粉塵及びバックアップローラ対４３の近傍に浮遊する粉塵も吸引除去可能である。従って、本実施の形態の画像記録装置１は、より画像記録装置１中の空気が粉塵により汚染されることを防止し得る。
【００７０】
なお、クリーナー機構６５Ａは、クリーナー機構６５と併用し、より粉塵による汚染を防止するように構成することも可能である。
【００７１】
（第５の実施の形態）
以下に、本発明の第５の実施の形態に従った画像記録装置１について、図１３を参照して説明する。なお、本実施の形態において、第１の実施の形態と同様な構成は、同一の参照符号を付して説明を省略する。
【００７２】
本実施の形態の画像記録装置１において、図１３中に示されるようにカバー部２０Ａの構成が、第１の実施の形態のカバー部２０と異なっている。なお、図１３中を用いて、カバー部２０Ａについて詳細に説明する。
【００７３】
本実施の形態のカバー部２０Ａは、上面カバー（図示せず）並びに側壁を有しており、本体１０に上部から被せられ、本体１０全体を覆う。カバー部２０Ａの側壁は、画像記録装置１の幅方向において対向するカバー前部２１とカバー後部２２と、搬送方向において互いに対向するカバー側部２３，２４とにより構成されている。
【００７４】
カバー前部２１は、左カバー２１ａと右カバー２１ｂとを有しており、これらは夫々カバー側部２３，２４により枢支されており、開閉可能な窓部を構成している。本実施の形態の画像記録装置１は、前記窓部により、ジャム処理の際等に、装置内部に容易にアクセス可能の構成されている。
【００７５】
カバー後部２２は、両端がカバー側部２３，２４により固定されている。また、カバー後部２２は、排気ファン６３、６４に対応する位置に、排気用のスリットが設けられている。カバー側部２３は、排出部７０側の側壁であり、搬送部４０から排出される記録媒体が排出し得るように、記録媒体排出用の開口が設けられている。カバー側部２４は、給紙部３０側の側壁であり、収容部３１からピックアップされた記録媒体がレジストレーションローラ対３３に搬送され得るように、記録媒体給紙用の開口が設けられている。
【００７６】
また、本実施の形態の仕切り板６１ａ、６１ｂは、本体１０のフレーム１１に固定され、本体１０と実質的に同一な幅寸法を有している。また、仕切り板６１ａ、６１ｂは、バックアップローラ対４３とともに、上下方向において本体１０全体に渡って配置され、本体１０内をバックアップローラ対４３を境に、第１の実施の形態と同様に、給紙領域ＦＲと画像記録領域ＧＲとに完全に分けている。
【００７７】
このように、カバー部２０を本体１０に被せる構成である場合、組立精度にもよるが、カバー部２０と、本体１０との間には、隙間が生じる場合がある。このため、本実施の形態のカバー部２０は、隙間のシール用の部材であるリブ２５を有している。このリブ２５は、仕切り板６１ａ、６１ｂと、仕切り板６１ａ、６１ｂと対応する位置に、カバー部２０の内周全体に渡って配置され、カバー部２０と本体１０との間の隙間を埋めている。具体的には、リブ２５は、カバー前部２１、カバー後部２２、及び前記上面カバーに取り付けられており、仕切り板６１ａ、６１ｂと当接するように構成されている。特に、カバー前部２１のリブ２５は、窓部が閉鎖された際に、仕切り板６１ａ、６１ｂと当接するように構成されている。
【００７８】
上記構成により、本実施形態の画像記録装置１は、本体１０とカバー部２０との隙間を無くし、より確実に給紙領域ＦＲから画像記録領域ＧＲ中に粉塵が侵入することを防止し得る。
【００７９】
なお、本実施の形態において、リブ２５は、仕切り板６１ａ、６１ｂと協調して画像記録装置１内を区分けしているが、仕切り板６１ａ、６１ｂ並びに仕切り板６１ａ、６１ｂを保持するフレーム１１と協調して、区分けすることも可能である。具体的には、リブ２５は、仕切り板６１ａ、６１ｂを保持するフレーム１１に当接され、仕切り板６１ａ、６１ｂ、及びフレーム１１とにより、画像記録装置１内の空間を分け得る。
【００８０】
また、本実施の形態において、画像記録装置１内の空間を分けるために、仕切り板６１ａ、６１ｂを用いているが、フレーム１１は、仕切り板６１ａ、６１ｂの代わりに、画像記録装置１内の空間を分けるように構成されることも可能である。即ち、フレーム１１は、仕切り板６１ａ、６１ｂと一体的に形成することも可能である。このような場合フレーム１１は、画像記録装置１内の空間を分け得れば、平板状以外の構成にすることはもちろん可能である。
【００８１】
また、フレーム１１は、リブ２５と当接させるためのリブ１１ａが設けられ得る。このリブ１１ａは、図１４中に示されるように、リブ２５と、画像記録装置１の幅方向において、重複するように、幅方向に沿って延びている。この構成により、リブ１１ａとリブ２５とは、給紙領域ＦＲから画像記録領域ＧＲに流れる空気に対して、高い抵抗を提供し、より確実に画像記録領域ＧＲが汚染されることを防止し得る。なお、リブ２５は、リブ１１ａの代わりに、仕切り板６１ａ、６１ｂと幅方向において重複するように構成されて、上記と同様な効果を得ることが可能である。また、リブ２５とリブ１１ａとは、幅方向に沿って延びているが、幅方向において少なくとも一部分重複し得れば、延伸方向において限定されることはない。なお、リブ２５と、リブ１１ａとは、互いに当接するように配置されることが好ましい。
【００８２】
（第６の実施の形態）
以下に、本発明の第６の実施の形態に従った画像記録装置１について、図１５を参照して説明する。なお、本実施の形態において、第１の実施の形態と同様な構成は、同一の参照符号を付して説明を省略する。
【００８３】
本実施の形態の画像記録装置１は、仕切り板６１ａの配置が第１の実施の形態の画像記録装置１と異なっている。具体的には、本実施の形態の仕切り板６１ａは、レジストレーションローラ対３３の下流側に配置されている。この仕切り板６１ａの下端は、レジストレーションローラ対３３と当接している。このような構成においても、画像記録装置１は、仕切り板６１ａが設けられていない場合に比べ、画像記録領域ＧＲ内への粉塵の侵入を減少させ得る。なお、仕切り板６１ａは、ピックアップローラ３２，レジストレーションローラ対３３、及びバックアップローラ対４３の夫々の対応する位置に、設けることが可能である。
【００８４】
また、仕切り板６１ａ，６１ｂは、図１６中に示されるように、ピックアップローラ３２の下流に設けることも可能である。このようにすることで、仕切り板６１ａ，６１ｂは、画像記録装置１外からの粉塵の侵入を防止し得る。従って、この構成においても、仕切り板６１ａ，６１ｂは、画像記録領域ＧＲに侵入する粉塵を減少させ得る。このように、仕切り板６１ａ、６１ｂは、図１６中に示されるように、ローラと対応する位置以外に配置した場合においても、画像記録領域ＧＲに侵入する粉塵を減少させ得る。例えば、仕切り板６１ａ、６１ｂは、記録媒体と近接又は当接するように配置し、画像記録領域ＧＲに粉塵が侵入することを防止するように構成することも可能である。なお、仕切り板６１ａ、６１ｂを記録媒体に当接させる場合には、記録媒体の搬送の負荷の増大と記録媒体の損傷を防ぐ為に、仕切り板６１ａ，６１ｂは、ポリエステルフィルム、テフロンシートなどの柔軟で摩擦係数の小さい材質が望ましい。また、図１６中の画像記録装置１は、仕切り板６１ｂが２つ設けられている。このように、画像記録装置１は、仕切り板６１ａ及び／又は６１ｂを複数設けることにより、より画像記録領域ＧＲに侵入する粉塵を減少させ得る。
【００８５】
以上、シリアルヘッドタイプ(固定ヘッド)の画像記録装置について説明してきたが、マルチスキャンヘッドタイプ(可動ヘッド)の画像記録装置おいても本実施の形態を適用することにより同様の効果が得られる。また、カット紙タイプの画像記録装置について説明をしてきたが、例えばロール紙などの連続紙タイプの画像記録装置においても本実施の形態を適用することにより同様の効果が得られる。
【００８６】
なお、ロール紙を用いるタイプの画像記録装置は、図１７中に示された従来の画像記録装置と同様に、記録媒体の搬送方向において、画像記録領域をまたいで上流と下流との夫々に、搬送ローラ対により記録媒体をニップする。そして、記録媒体の搬送時に、所定の張力が記録媒体に作用するように、下流側の搬送ローラ対が、上流側の搬送ローラ対より大きい搬送力で記録媒体を牽引する。このように、搬送中の記録媒体において下流の部分は、上流の部分を牽引し、記録媒体自身の搬送を補助する。従って、連続的な記録媒体は、記録媒体用駆動手段の一部として用いられていると考えることも可能である。
【００８７】
従って、ロール紙を用いるタイプの画像記録装置において、仕切り部材である仕切り板は、画像記録装置内を仕切る点において、搬送ローラなどのローラと当接又は近接するように配置することも効果的であるし、記録媒体と当接又は近接するように配置することも効果的である。
【図面の簡単な説明】
【００８８】
【図１】図１は、第１の実施の形態に従った画像記録装置を示す概略的な側面図である。
【図２】図２は、図１の画像記録装置を示す概略的な上面図である。
【図３】図３は、ピックアップローラとレジストレーションローラ対とを示す概略図である。
【図４】図４は、画像記録装置内の粉塵の流れを示す概略図である。
【図５】図５は、画像記録装置内における空気の流れを示す概略図である。
【図６】図６は、画像記録領域における粉塵の流れを示す概略図である。
【図７】図７は、粉塵防止部を有する画像記録装置内の空気の流れを示す概略図である。
【図８】図８は、仕切り板の変形例を示す概略的な側面図である。
【図９】図９は、第２の実施の形態の画像記録装置における仕切り板を示す概略的な側面図である。
【図１０】図１０は、第３の実施の形態の画像記録装置における仕切り板を示す概略的な側面図である。
【図１１】図１１は、第３の実施の形態の仕切り板の変形例を示す概略的な側面図である。
【図１２】図１２は、第４の実施の形態の画像記録装置におけるクリーナー機構を示す概略的な側面図である。
【図１３】図１３は、第５の実施の形態に従った画像記録装置を示す概略的な断面図である。
【図１４】図１４は、第５の実施の形態のリブの変形例を示す概略的な断面図である。
【図１５】図１５は、第６の実施の形態に従った画像記録装置を示す概略的な側面図である。
【図１６】図１６は、第６の実施の形態に従った画像記録装置の変形例を示す概略的な側面図である。
【図１７】図１７は、従来の画像記録装置を示す概略的な側面図である。
【符号の説明】
【００８９】
１…画像記録装置、１０…本体、１１…フレーム、１１ａ…リブ、２０、２０Ａ…カバー部、２１…カバー前部、２１ａ…左カバー、２１ｂ…右カバー、２２…カバー後部、２３…カバー側部、２４…カバー側部、２５…リブ、３０…給紙部、３１…収容部、３２…ピックアップローラ、３３…レジストレーションローラ対、４０…搬送部、４１…ベルトプラテン部、４１ａ…プラテンローラ、４１ｂ…プラテンベルト、４２…プラテン吸引部、４２ａ…孔、４２ｂ…プラテン、４２ｃ…プラテン吸引ファン、４３…バックアップローラ対、４３ａ…バックアップローラ、５０…画像記録部、５１…記録ヘッド、５２…ノズル、６０…粉塵防止部、６１ａ…仕切り板、６１ｂ…仕切り板、６２…フィルタ付吸引ファン、６２ａ…フィルタ、６２ｃ…集塵フィルタ、６３…排気ファン、６４…排気ファン、６５、６５Ａ…クリーナー機構、６５Ａａ…吸引ノズル、６５Ａｂ…クリーナー吸引ファン、７０…排出部。
【図１】
2005161751.tif 000003
【図２】
2005161751.tif 000004
【図３】
2005161751.tif 000005
【図４】
2005161751.tif 000006
【図５】
2005161751.tif 000007
【図６】
2005161751.tif 000008
【図７】
2005161751.tif 000009
【図８】
2005161751.tif 000010
【図９】
2005161751.tif 000011
【図１０】
2005161751.tif 000012
【図１１】
2005161751.tif 000013
【図１２】
2005161751.tif 000014
【図１３】
2005161751.tif 000015
【図１４】
2005161751.tif 000016
【図１５】
2005161751.tif 000017
【図１６】
2005161751.tif 000018
【図１７】
2005161751.tif 000019